(57)【要約】【課題】本発明は、映像表示部が取り付けられた筐体部における外部接続端子部や記録媒体処理部の配設位置が容易に視認できるとともにこれらの切換えを行う際の操作性を向上させることが可能な映像表示装置を提供することを目的とするものである。【解決手段】切換表示制御部１０ａは、リモコン１８からの選択操作信号を操作信号入力部１７を介して受信し、映像信号切換回路１２及びミュート回路１３の切換制御を行う。また、切換えた外部接続端子部又は記憶媒体処理部に関するデータや映像信号切換回路１２に映像信号が入力されている外部接続端子部又は記憶媒体処理部に関するデータをマーク表示制御部１０ｂに出力する。マーク表示制御部１０ｂは、オンスクリーン表示生成部１４を制御して映像表示部２の表示画面に外部接続端子部又は記憶媒体処理部の配設位置に対応した表示マークを生成させる。【選択図】図３
2007267002.tif 000002
【特許請求の範囲】
【請求項１】
映像表示部と、前記映像表示部が取り付けられた筐体部と、前記筐体部に配設された複数の映像情報入出力部と、前記映像情報入出力部を選択して映像表示する前記映像情報入出力部を決定する選択手段と、選択手段により決定された前記映像情報入出力部からの信号に切換えて前記映像表示部に表示する切換表示制御手段と、前記映像情報入出力部の配設位置に対応した位置に表示マークを前記映像表示部に表示するマーク表示制御手段とを備えていることを特徴とする映像表示装置。
【請求項２】
前記映像情報入出力部は、外部機器と接続されて映像情報が入出力される外部接続端子部又は記憶媒体が挿着されて映像情報が入出力される記憶媒体処理部であることを特徴とする請求項１に記載の映像表示装置。
【請求項３】
前記マーク表示制御手段は、前記映像表示部の周縁部において前記映像情報入出力部の配設位置に対応した位置に前記表示マークを表示することを特徴とする請求項１又は２に記載の映像表示装置。
【請求項４】
前記マーク表示制御手段は、前記映像情報入出力部の配設位置に応じて前記表示マークの色を変化させることを特徴とする請求項１から３のいずれかに記載の映像表示装置。
【請求項５】
前記マーク表示制御手段は、前記映像情報入出力部に関する一覧表示を前記表示マークと共に表示することを特徴とする請求項１から４のいずれかに記載の映像表示装置。
【請求項６】
前記マーク表示制御手段は、信号が出力されている前記映像情報入出力部の表示マークを表示することを特徴とする請求項１から５のいずれかに記載の映像表示装置。
【請求項７】
前記マーク表示制御手段は、前記選択手段により選択された前記映像情報入出力部の表示マークを選択表示することを特徴とする請求項１から６のいずれかに記載の映像表示装置。
【発明の詳細な説明】
【技術分野】
【０００１】
本発明は、ＰＤＰ（Plasma Display Panel）、ＬＣＤ（Liquid Crystal Display）等の映像表示装置に関する。
【背景技術】
【０００２】
近年映像表示装置は、ＰＤＰやＬＣＤに代表されるように大画面化及び薄型化された映像表示装置が普及してきている。そして、こうした映像表示装置に入力される映像等の情報は、テレビジョン放送以外に、ＣＤ，ＤＶＤ等記録ディスク、ビデオテープ、メモリカード等の記録担体といった様々な記録媒体により提供されるとともにインターネット等によりオンラインでも提供されるようになってきている。
【０００３】
したがって、こうした多様な情報提供方法に対応して、映像表示装置には、複数の外部接続端子部や記録媒体処理部が配設されている。外部接続端子部は、ＤＶＤ等の記録再生装置やイヤホン等に接続された配線コードを挿着する端子が設けられており、記録媒体処理部は、ＤＶＤ等を着脱する再生装置や録画再生装置を映像表示装置に一体化したものやメモリカード等を着脱する読取装置や記録読取装置を映像表示装置に一体化したものが挙げられる。
【０００４】
こうした映像表示装置の多機能化と共に、外部接続端子への接続方法や外部機器が接続されている接続端子がユーザにわかりにくくなってきている。そのため、例えば、特許文献１では、視聴者が接続したい電子機器を接続する前に、メニューを表示させて接続する機器を選択すると、その接続指示画像が画面に表示されてその指示する矢印の外部接続端子にプラグを挿し込むようにしたテレビジョン受像機が記載されている。また、特許文献２では、画面上に親画面として通常の画面を表示し、外部入力端子に接続されている機器の付加情報及びその入力画像情報を一覧表示して画面表示させる機器の切り替えを容易にした画像表示装置が記載されている。
【特許文献１】特開平１０−４２２０３号公報
【特許文献２】特開平１１−２６１９１８号公報
【発明の開示】
【発明が解決しようとする課題】
【０００５】
上述した特許文献１では、外部接続機器の接続については、その接続指示画像により容易に接続を行うことが可能となるが、複数の外部接続機器がある場合の切り替え操作の際にどの接続端子にどの外部機器が接続されているかがわかりづらい欠点がある。特許文献２では、こうした課題に対して外部接続機器からの入力画像を子画面で表示して切り替え操作の際に接続状態を容易に視認できるようにしているが、複数の子画面に入力画像を表示させるためのプログラムや回路構成が別途必要になり、また、画面表示されるまでの間映像信号がミュートされて黒い画面表示となるため外部機器にトラブルが発生したとユーザに誤認させるおそれがある。
【０００６】
また、映像表示装置の大画面化及び薄型化の進展とともに、映像表示部を取り付ける筐体部において外部接続端子部や記録媒体処理部を配設するためのスペースが限られてきており、そのため、表示画面の上下左右の外周部分を含めてあらゆる部分が配設位置に設定されるようになってきている。したがって、従来は、装置の前面側と背面側のある程度決められた位置に設定されていたが、映像表示装置の大画面化及び薄型化並びに多機能化によりどの配設位置に外部接続端子部や記録媒体処理部があるのかがユーザにわかりにくくなってきている。
【０００７】
そこで、本発明は、映像表示部が取り付けられた筐体部における外部接続端子部や記録媒体処理部の配設位置が容易に視認できるとともにこれらの切換えを行う際の操作性を向上させることが可能な映像表示装置を提供することを目的とするものである。
【課題を解決するための手段】
【０００８】
本発明に係る映像表示装置は、映像表示部と、前記映像表示部が取り付けられた筐体部と、前記筐体部に配設された複数の映像情報入出力部と、前記映像情報入出力部を選択して映像表示する前記映像情報入出力部を決定する選択手段と、選択手段により決定された前記映像情報入出力部からの信号に切換えて前記映像表示部に表示する切換表示制御手段と、前記映像情報入出力部の配設位置に対応した位置に表示マークを前記映像表示部に表示するマーク表示制御手段とを備えていることを特徴とする。さらに、前記映像情報入出力部は、外部機器と接続されて映像情報が入出力される外部接続端子部又は記憶媒体が挿着されて映像情報が入出力される記憶媒体処理部であることを特徴とする。さらに、前記マーク表示制御手段は、前記映像表示部の周縁部において前記映像情報入出力部の配設位置に対応した位置に前記表示マークを表示することを特徴とする。さらに、前記マーク表示制御手段は、前記映像情報入出力部の配設位置に応じて前記表示マークの色を変化させることを特徴とする。さらに、前記マーク表示制御手段は、前記映像情報入出力部に関する一覧表示を前記表示マークと共に表示することを特徴とする。さらに、前記マーク表示制御手段は、信号が出力されている前記映像情報入出力部の表示マークを表示することを特徴とする。さらに、前記マーク表示制御手段は、前記選択手段により選択された前記映像情報入出力部の表示マークを選択表示することを特徴とする。
【発明の効果】
【０００９】
上記のような構成を有することで、複数の映像情報入出力部のうちいずれかを選択して映像表示部に切換え表示する場合に、映像情報入出力部の配設位置に対応した位置に表示マークを映像表示部に表示するようにしたので、選択する映像情報入出力部の配設位置が容易に視認でき、ユーザが映像表示画面の切り替え操作を行う際に表示マークと対応する映像情報入出力部を確認しながら操作することが可能となって優れた操作性が発揮されるようになる。
【００１０】
特に、ＰＤＰやＬＣＤといった薄型の映像表示装置の場合には、前面側には映像情報入出力部を配設するスペースが少なく、装置の左右側面、上下面や背面に配設することになる。そのため、前面側からは映像情報入出力部の配設位置が非常に見難くなり、映像情報入出力部の数の増加と相俟って映像表示の切換え操作が不便になってきているが、本発明のように映像情報入出力部の配設位置に対応して表示マークを映像表示部に表示すれば、一目で映像情報入出力部の数とその位置が認識でき、映像表示の切換えの際の操作性を向上させることができる。
【００１１】
また、表示マークのみの表示であるので、オンスクリーン表示（ＯＳＤ）で表示することができるため、映像表示を切換える際にミュートにより画面全体が黒くなっても表示マークが表示され、ユーザに対して切換え操作が確実に行われていることを認識させることができる。そして、従来技術のように映像表示の切換えのために子画面を表示するといった画像処理を行うためのプログラムや回路の必要もなく、オンスクリーン表示画面を改良する程度の簡単な構成で実現することが可能となる。
【００１２】
また、映像表示部の周縁部において映像情報入出力部の配設位置に対応した位置に表示マークを表示するようにすれば、映像表示部の前面側から装置の左右側面、上下面や背面に配設された映像情報入出力部の位置を一覧で容易に認識することができる。また、映像情報入出力部の配設位置に応じて表示マークの色を変化させることで、映像情報入出力部の配設位置（背面側の位置等）や種類を表示することもできる。
【００１３】
また、映像情報入出力部に関する一覧表示を表示マークと共に表示するようにすれば、一覧表示された各映像情報入出力部の名称と配設位置との関係を容易に把握することができ、信号が出力されている映像情報入出力部の表示マークを表示するようにすれば、切換え表示可能な映像情報入出力部のみ表示されて切換え表示の際の操作性がさらに向上する。そして、選択手段により選択された映像情報入出力部の表示マークを選択表示するようにすれば、選択した映像情報入出力部の配設位置を容易に確認でき、切換え表示する映像情報入出力部の決定を正確に行うことができるようになる。
【発明を実施するための最良の形態】
【００１４】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１５】
図１は、本発明に係る実施形態に関する前面側から見た外観斜視図であり、図２は、背面側から見た外観斜視図である。映像表示装置１は、液晶表示パネル等からなる映像表示部２を筐体部３の前面側に取り付けて構成されており、筐体部３の下面にはスタンド台４が設けられている。
【００１６】
筐体部３には、複数の映像情報入出力部として、側面にビデオ端子５ａ、背面にＨＤＭ端子５ｂ、モニタ出力端子５ｃ、光デジタル端子やＬＡＮ端子５ｄ、テレビジョン放送受信用端子５ｅ、前面にビデオ端子５ｆ等の外部接続端子部、側面にメモリカードスロット６ａ、ＤＶＤ録画再生部６ｂ、前面にメモリカードスロット６ｃ等の記憶媒体処理部が配設されている。記憶媒体としては、ＣＤやビデオテープといったものの録画再生部を設けてもよく、特に限定されない。
【００１７】
図３は、映像表示装置１の映像表示に関するブロック構成図を示している。映像表示装置１は、映像表示に関する全体制御を行う制御部１０、カードスロット６ａ及び６ｃ並びにＤＶＤ録画再生部６ｂからの再生信号を処理する信号処理回路１１、外部接続端子部５ａ、５ｂ、５ｄ及び５ｆ並びに信号処理回路１１から入力される映像信号を切換えて出力する映像信号切換回路１２、映像信号の切換処理の際に発生するノイズを遮断するために設けられたミュート回路１３、オンスクリーン表示生成部１４及びミュート回路１３からの映像信号を合成する映像合成回路１６を備えている。
【００１８】
オンスクリーン表示生成部１４は、表示メモリ１５に記憶されたメニュー表示やチャンネル表示に関するデータを読み出して表示画面に表示するためのオンスクリーン表示を生成するとともに、マーク表示制御部１０ｂからの制御信号に基づいて映像情報入出力部の表示マークに関するデータを表示メモリ１５から読み出してオンスクリーン表示を生成する。表示メモリ１５には、表示マークの形状、色及び表示位置等のデータが蓄積されている。
【００１９】
制御部１０は、切換表示制御部１０ａ及びマーク表示制御部１０ｂを備えている。切換表示制御部１０ａは、リモコン１８から出力された映像表示に関する選択操作信号を操作信号入力部１７を介して受信し、受信した選択操作信号に基づいて映像信号切換回路１２及びミュート回路１３の切換制御を行う。また、切換えた外部接続端子部又は記憶媒体処理部に関するデータや映像信号切換回路１２に映像信号が入力されている外部接続端子部又は記憶媒体処理部に関するデータをマーク表示制御部１０ｂに出力する。
【００２０】
マーク表示制御部１０ｂは、切換表示制御部１０ａから出力された外部接続端子部又は記憶媒体処理部に関するデータに基づいてオンスクリーン表示生成部１４を制御して映像表示部２の表示画面に外部接続端子部又は記憶媒体処理部の配設位置に対応した表示マークを生成させる。表示マークやその表示位置は表示メモリ１５に予め記憶されており、表示メモリ１５から適宜必要なデータを読み出してオンスクリーン表示画面を生成し映像合成回路１６に出力する。
【００２１】
図４は、映像表示切換処理に関するフローである。リモコン１８においてキー操作が行われて選択操作信号が出力されたかチェックする（Ｓ１００）。選択操作信号が出力された場合には映像表示のメニューキーであるかチェックし（Ｓ１０１）、メニューキーでない場合には処理を終了して選択された別の処理に移る。映像表示のメニューキーの場合には、予め初期設定された最初の外部入力を選択し（Ｓ１０２）、それに対応したオンスクリーン表示画面を生成する（Ｓ１０３）。
【００２２】
オンスクリーン表示画面は、例えば図５（ａ）に示すように、配設された外部接続端子部及び記憶媒体処理部に対応する一覧メニュー表示Ｔを映像表示部２の表示画面に表示すると共に、表示画面の周縁部において外部接続端子部及び記憶媒体処理部の配設位置に対応した位置に矩形状の表示マークＭ１〜Ｍ７を表示する。表示マークＭ１〜Ｍ４は、外部接続端子部５ａ、５ｂ、５ｄ及び５ｆの配設位置に対応した位置に表示されている。表示マークＭ５〜Ｍ７は、カードスロット６ａ及び６ｃ並びにＤＶＤ録画再生部６ｂの配設位置に対応した位置に表示されている。そして、初期設定されたＡＶ１がメニューで選択された状態で表示されると共にそれに対応するビデオ端子５ａの表示マークＭ１が黒表示されて選択されていることを明示する。
【００２３】
こうしたオンスクリーン表示を行うことで、メニュー表示Ｔで選択表示された外部入力が表示マークＭ１〜Ｍ５の黒表示による選択表示に基づいて選択された映像入出力部が容易に認識することができる。
【００２４】
オンスクリーン表示された後映像信号のミュート処理が行われて（Ｓ１０４）外部入力の映像信号切換処理が行われる（Ｓ１０５）。切換処理が行われた後ミュート処理が解除されて（Ｓ１０６）選択された外部入力の映像信号が入力されているかチェックし（Ｓ１０７）、映像信号が入力されている場合には映像表示が行われる（Ｓ１０８）。表示された映像を選択する場合にはリモコン１８の決定キーを操作すれば、そのまま表示された映像が継続表示される。
【００２５】
ミュート処理が行われると、表示画面は黒又は青といった一色画面となるが、上述したオンスクリーン表示が継続して表示されるので、ユーザは外部入力の選択画面であることを認識して以後の選択操作を確実に行うことができる。
【００２６】
ステップＳ１０７において映像信号が入力されていない場合には、次の外部入力の選択が自動的に選択され（Ｓ１０９）、ステップＳ１０３に戻って選択した外部入力に対応したオンスクリーン表示が行われるようになる。例えば、次の外部入力としてＨＤＭ端子５ｂが選択されると、図５（ｂ）に示すように、メニュー表示ＴではＡＶ２が選択表示され表示マークＭ２が黒色に表示される。
【００２７】
以上説明した例では、一覧メニュー表示Ｔ及び表示マークＭ１〜Ｍ７からなるオンスクリーン表示を行っており、自動的に外部入力を選択しながら映像信号が入力されている外部入力がある場合に映像表示するようにしているため、ユーザが選択操作しなくても表示された映像を見ながら切換操作を行うことができる。
【００２８】
また、ステップＳ１０９においてリモコン１８の選択操作により外部入力を選択するようにしてもよい。リモコン１８により選択する場合には、選択キーにより表示マークＭ１〜Ｍ７を順次移動して選択して映像を切換表示し、決定キーを操作することで表示された映像がそのまま継続表示されるようになる。
【００２９】
なお、リモコン１８で直接外部入力を選択する場合には、図６に示すように、選択された外部入力表示Ｔ及び表示マークＭ１のみを表示するようにしてもよい。図６の場合でも、現在選択された外部入力とそれに対応する配設位置が明示されるので、ユーザは、現在どの映像情報入出力部が選択されているのか容易に認識することができる。
【００３０】
また、表示マークの選択表示の方法としては、色表示以外にも点滅表示でもよく、選択されたことが明示されるのであれば特に限定されない。
【００３１】
また、図７に示す表示マークに関する変形例は、背面側に配設された映像情報入出力部に対応する表示マークを他の表示マークとは異なる色で表示するようにしている。このように映像情報入出力部の配設位置や種類によって表示マークの色を変えることで、ユーザの選択操作の利便性を高めることが可能となる。
【００３２】
また、図８に示す表示マークに関する別の変形例は、予め映像信号が入力されている映像情報入出力部をチェックし、映像信号が入力されているものの表示マークのみ表示するようにしている。この例では、ビデオ端子５ａ、ＨＤＭ端子５ｂ、光デジタル端子やＬＡＮ端子５ｄに外部機器が接続されて映像信号が入力されていることがチェックされ、これらの外部接続端子部に対応する表示マークＭ１〜Ｍ３のみが表示されるようになっている。こうした表示を行うことで、映像信号の入力されている映像情報入出力部のみ切換操作を行うことができるようになり、より利便性を向上させることが可能となる。
【００３３】
また、図９又は図１０に示すように、表示マークの形状は、矢印やドットで表現するようにしてもよく、映像入出力部の配設位置を明確に指示できるものであれば特に限定されない。
【図面の簡単な説明】
【００３４】
【図１】本発明に係る実施形態に関する前面側外観斜視図である。
【図２】本発明に係る実施形態に関する背面側外観斜視図である。
【図３】本発明に係る実施形態に関する概略ブロック構成図である。
【図４】映像表示切換処理に関するフローである。
【図５】オンスクリーン表示に関する表示画面例である。
【図６】オンスクリーン表示に関する別の表示画面例である。
【図７】表示マークの表示に関する変形例である。
【図８】表示マークの表示に関する変形例である。
【図９】表示マークの表示に関する変形例である。
【図１０】表示マークの表示に関する変形例である。
【符号の説明】
【００３５】
１    映像表示装置
２    映像表示部
３    筐体部
４    スタンド台
【図１】
2007267002.tif 000003
【図２】
2007267002.tif 000004
【図３】
2007267002.tif 000005
【図４】
2007267002.tif 000006
【図５】
2007267002.tif 000007
【図６】
2007267002.tif 000008
【図７】
2007267002.tif 000009
【図８】
2007267002.tif 000010
【図９】
2007267002.tif 000011
【図１０】
2007267002.tif 000012